(57)【要約】  ＮＢ−ＩｏＴ通信システムに適するマスター情報ブロック（ＭＩＢ）を提供すること。本発明の一態様に係る基地局は、狭帯域通信時の動作モードに基づいて選択されるパラメータを含むマスター情報ブロック（ＭＩＢ）を生成する生成部と、前記ＭＩＢを送信する送信部と、を具備することを特徴とする。
2017159695.tif 000002
【特許請求の範囲】
【請求項１】
狭帯域通信時の動作モードに基づいて選択されるパラメータを含むマスター情報ブロック（ＭＩＢ）を生成する生成部と、
前記ＭＩＢを送信する送信部と、
を具備することを特徴とする基地局。
【請求項２】
前記動作モードは、インバンド（ｉｎ−ｂａｎｄ）動作モード、ガードバンド（ｇｕａｒｄ  ｂａｎｄ）動作モード、スタンドアローン（ｓｔａｎｄ  ａｌｏｎｅ）動作モードを含む、ことを特徴とする請求項１に記載の基地局。
【請求項３】
前記動作モードがインバンド動作モードであり、かつ、ＮＢ−ＩｏＴシステムの物理セル識別子とＬＴＥの物理セル識別子とが異なる場合、前記ＭＩＢは、ＣＲＳ（Ｃｅｌｌ−ｓｐｅｃｉｆｉｃ  Ｒｅｆｅｒｅｎｃｅ  Ｓｉｇｎａｌ）のアンテナポートの数を示すＣＲＳポートパラメータを含むことを特徴とする請求項１又は請求項２に記載の基地局。
【請求項４】
前記動作モードがインバンド動作モードであり、かつ、ＮＢ−ＩｏＴシステムの物理セル識別子とＬＴＥの物理セル識別子とが同一である場合、前記ＭＩＢは、ＣＲＳのシーケンスの決定に用いられるＣＲＳシーケンスパラメータを含むことを特徴とする請求項１から請求項３のいずれかに記載の基地局。
【請求項５】
前記ＣＲＳシーケンスパラメータは、チャネルラスタのオフセット周波数を示すチャネルラスタパラメータの導出に用いられることを特徴とする請求項４に記載の基地局。
【請求項６】
前記ＣＲＳシーケンスパラメータは、ＭＩＢ送信用のリソースブロックと前記基地局の通信周波数帯域の中心周波数とのオフセットを示すことを特徴とする請求項４又は請求項５に記載の基地局。
【請求項７】
前記動作モードがガードバンド動作モードである場合、又は、前記動作モードがインバンド動作モードであり、かつ、ＮＢ−ＩｏＴシステムの物理セル識別子とＬＴＥの物理セル識別子とが異なる場合、前記ＭＩＢは、チャネルラスタのオフセット周波数を示すチャネルラスタパラメータを含むことを特徴とする請求項１から請求項６のいずれかに記載の基地局。
【請求項８】
狭帯域通信時の動作モードに基づいて選択されるパラメータを含むマスター情報ブロック（ＭＩＢ）を受信する受信部と、
前記パラメータに基づいて、狭帯域通信を制御するプロセッサと、
を含む移動局。
【請求項９】
基地局において、狭帯域通信時の動作モードに基づいて選択されるパラメータを含むマスター情報ブロック（ＭＩＢ）を生成する工程と、
前記ＭＩＢを送信する工程と、
を含む無線通信方法。
【発明の詳細な説明】
【技術分野】
【０００１】
本発明は、無線通信分野に関し、さらに具体的には無線通信システムにおいて用いられる基地局、移動局及び無線通信方法に関する。
【背景技術】
【０００２】
狭帯域通信（Ｎａｒｒｏｗ  Ｂａｎｄ  Ｉｎｔｅｒｎｅｔ  ｏｆ  Ｔｈｉｎｇ，ＮＢ−ＩｏＴ）技術は既に４Ｇおよび５Ｇ通信システムにおいて用いられる重要な技術となっている。より広帯域によって通信するＬＴＥ（Ｌｏｎｇ  Ｔｅｒｍ  Ｅｖｏｌｕｔｉｏｎ）通信システムとは異なり、ＮＢ−ＩｏＴ通信システムにおいて、基地局は１８０ｋＨｚの超狭帯域によって移動局と通信を行う。ＮＢ−ＩｏＴ技術によって室内におけるネットワークのカバー範囲が改善され、大量の低スループットの設備、低遅延感度、超低設備コスト、低設備消費電力および最適化のネットワークフレーム構造をサポートしている。【０００３】
ＮＢ−ＩｏＴ通信システムにおいて、セルアクセスの初期化に用いられるキー情報はマスター情報ブロック（Ｍａｓｔｅｒ  Ｉｎｆｏｒｍａｔｉｏｎ  Ｂｌｏｃｋ，ＭＩＢ）に含まれ、移動局へブロードキャストされる。一方、ＮＢ−ＩｏＴ通信システムは多様なモードで動作可能であり、ＬＴＥ通信システムに似たような方式でＮＢ−ＩｏＴ通信システムに用いられるＭＩＢを生成すれば、システムシグナリングオーバヘッドが非常に大きくなる。シグナリングオーバヘッドを低減するために、ＭＩＢを用いて通知される一部のキー情報を削除することが既に提案されている。しかしながら、移動局へ通知するキー情報を低減すると、移動局の性能が低下してしまう。
【発明の概要】
【発明が解決しようとする課題】
【０００４】
上記問題に鑑みて、ＮＢ−ＩｏＴ通信システムに適するマスター情報ブロック（ＭＩＢ）が望まれている。
【課題を解決するための手段】
【０００５】
本発明の一態様に係る基地局は、狭帯域通信時の動作モードに基づいて選択されるパラメータを含むマスター情報ブロック（ＭＩＢ）を生成する生成部と、前記ＭＩＢを送信する送信部と、を具備する。【０００６】
本発明の一態様によれば、基地局によって実行されるマスター情報ブロック（ＭＩＢ）生成方法を提供し、複数のパラメータの各パラメータの現在情報を決定し、決定された各パラメータの現在情報に対してジョイント符号化を行い、ジョイント符号化の結果に基づいてＭＩＢを生成する、ことを含む。【０００７】
本発明の一態様によれば、移動局によって実行されるマスター情報ブロック（ＭＩＢ）処理方法を提供し、基地局から送信されたＭＩＢを受信して、１つのコードワードを得、得られたコードワードに基づいて、複数のパラメータの各パラメータの現在情報を決定する、ことを含む。【０００８】
本発明の一態様によれば、基地局を提供し、複数のパラメータのパラメータ値を決定するように配置される決定部と、決定された複数のパラメータのパラメータ値に対してジョイント符号化を行うように配置される符号化部と、ジョイント符号化の結果に基づいてＭＩＢを生成するように配置される生成部と、を含む。【０００９】
本発明の一態様によれば、移動局を提供し、基地局から送信されたＭＩＢを受信して、１つのコードワードを得るように配置される受信部と、得られたコードワードに基づいて、複数のパラメータのパラメータ値を決定するように配置される決定部と、を含む。
【発明の効果】
【００１０】
ＮＢ−ＩｏＴ通信システムに適するマスター情報ブロック（ＭＩＢ）を提供できる。
【図面の簡単な説明】
【００１１】
【図１】本発明の一実施形態に係る基地局によって実行されるマスター情報ブロック（ＭＩＢ）生成方法を示すフローチャートである。
【図２ａ】本発明の一実施形態に係るインバンド（ｉｎ−ｂａｎｄ）動作モードを示す概略図である。
【図２ｂ】本発明の一実施形態に係るガードバンド（ｇｕａｒｄ  ｂａｎｄ）動作モードを示す概略図である。
【図２ｃ】本発明の一実施形態に係るスタンドアローン（ｓｔａｎｄ  ａｌｏｎｅ）動作モードを示す概略図である。
【図３】本発明の一実施形態に係る移動局によって実行されるマスター情報ブロック処理方法を示すフローチャートである。
【図４】本発明の一実施形態に係る基地局を示すブロック図である。
【図５】本発明の一実施形態に係る移動局を示すブロック図である。
【発明を実施するための形態】
【００１２】
以下、図面を参照しながら本発明の一実施形態に係るマスター情報ブロック生成方法、マスター情報ブロック処理方法、基地局および移動局について説明する。図面において、同じ参照符号は終始同じ内容を示す。理解すべきことは、ここで述べる一実施形態は説明的なものに過ぎず、本発明の範囲を限定するものとして解釈してはならない。なお、ここに記載のＵＥは様々なタイプのユーザ端末、例えば移動端末（もしくは移動局と称す）または固定端末を含み、ただし便宜上、以下では場合によってＵＥと移動局とを互換して使用しても良い。
【００１３】
本発明の一実施形態はＮＢ−ＩｏＴ通信システムに用いることができる。ＵＥが無線アクセスを行うことができるように、基地局はセルアクセスの初期化に用いられるキー情報をＭＩＢの中に含ませ、ＵＥへブロードキャストする。ＬＴＥおよびＬＴＥ−Ａｄｖａｎｃｅｄのような無線通信システムにおいては、ＵＥへ送信されるＭＩＢの中身が定義されている。具体的には、ＬＴＥおよびＬＴＥ−Ａｄｖａｎｃｅｄ無線通信システムにおいて、ＵＥが無線アクセスを行う際には複数のパラメータの情報を得る必要があり、基地局は各パラメータの情報に対しそれぞれ符号化を行い、なお各パラメータのコードワードをＭＩＢにおいて該パラメータに対応するフィールドに配置する。しかし、ＬＴＥ通信システムに似たような方式でＮＢ−ＩｏＴ通信システムに用いられるＭＩＢを生成すると、ＭＩＢによるシグナリングオーバヘッドはＮＢ−ＩｏＴ通信システムにとって大きすぎてしまう。
【００１４】
本発明の一実施形態はＮＢ−ＩｏＴ通信システムのＭＩＢの中身を改良している。以下、図面を参照しながら本発明の一実施形態について説明する。
【００１５】
まず、図１を参照しながら本発明の一実施形態に係る基地局によって実行されるマスター情報ブロック（ＭＩＢ）生成方法について説明する。図１は本発明の一実施形態に係る基地局によって実行されるＭＩＢ生成方法１００を示すフローチャートである。図１に示すように、ステップＳ１０１において、複数のパラメータの各パラメータの現在情報を決定する。上述したように、ＵＥが無線アクセスを行うことができるように、基地局はセルアクセスの初期化に用いられるキーパラメータの情報をＭＩＢの中に含ませ、ステップＳ１０１においては、これらのキーパラメータの現在情報を決定する。本発明の1つの例示によれば、各パラメータの現在情報は該パラメータの現在値または現在該パラメータが必要ではないことを示す。
【００１６】
例えば、ＮＢ−ＩｏＴ通信システムにおいて、用いられる通信周波数帯域とＬＴＥ通信システムに用いられる通信周波数帯域との間の位置関係に応じて、ＮＢ−ＩｏＴ通信システムにおける基地局は多様な動作モードを有し、かつ異なる動作モードにおいてＮＢ−ＩｏＴ通信システムにおけるＵＥがセルへアクセスする際に必要な情報は異なる。したがって、前記複数のパラメータは基地局の現在の動作モードを示す動作モードパラメータ、および動作モードパラメータのほか、セルアクセスの初期化に用いられる他のキーパラメータを含んでもよい。ステップＳ１０１において、まず基地局の狭帯域通信時の現在の動作モードを決定し、次いで動作モードパラメータの候補値の中から決定された現在の動作モードに対応する候補値を動作モードパラメータの現在値として選択する。一方、決定された動作モードに基づいて、現在複数のパラメータのうちの他のパラメータが必要であるか否かを決定し、複数のパラメータのうちの他のパラメータが必要である場合、必要な他のパラメータの候補値の中から該他のパラメータの現在値を選択する。
【００１７】
以下、図２ａ−図２ｃを参照しながら本発明の一実施形態に係る、ＮＢ−ＩｏＴ通信システムにおける基地局の多様な動作モードの概略図について説明する。具体的には、図２ａは本発明の一実施形態に係るインバンド動作モードを示す概略図である。図２ａに示すように、インバンド動作モードにおいて、ＮＢ−ＩｏＴ通信システムに用いられる周波数帯域２１０はＬＴＥ通信システムに用いられる周波数帯域２２０内に配置される。図２ｂは本発明の一実施形態に係るガードバンド動作モードを示す概略図である。図２ｂに示す例示において、ＬＴＥ通信システムは周波数帯域２２１および２２２を用いて通信を行い、かつ周波数帯域２２３はＬＴＥ通信システムのガード区間となる。なお、ＮＢ−ＩｏＴ通信システムは周波数帯域２１１により通信を行う。図２ｂに示すように、ＮＢ−ＩｏＴ通信システムに用いられる周波数帯域２１１はＬＴＥ通信システムのガード区間内に配置される。図２ｃは本発明の一実施形態に係るスタンドアローン動作モードを示す概略図である。図２ｃに示すように、スタンドアローン動作モードにおいて、ＮＢ−ＩｏＴ通信システムに用いられる周波数帯域２１２はＬＴＥ通信システムに用いられる周波数帯域（図示されていない）から独立され、かつＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）通信システムに用いられる周波数帯域２３０内に配置される。
【００１８】
例えば、動作モードパラメータはインバンド動作を示す候補値、ガードバンド動作モードを示す候補値およびスタンドアローン動作モードを示す候補値を有する。基地局がインバンド動作モードにより狭帯域通信を行う場合、基地局は動作モードパラメータの候補値の中からインバンド動作モードに対応する候補値を動作モードパラメータの現在値として選択する。一方、基地局はインバンド動作モードの場合に必要な、動作モードパラメータ以外の他のパラメータを決定し、かつ必要な他のパラメータの現在値を決定する。
【００１９】
動作モードパラメータのほか、セルアクセスの初期化に用いられる他のキーパラメータはセル参照信号（ＣＲＳ：Ｃｅｌｌ−ｓｐｅｃｉｆｉｃ  Ｒｅｆｅｒｅｎｃｅ  Ｓｉｇｎａｌ）ポートパラメータ、チャネルラスタパラメータなどをさらに含む。なお、ＵＥがＣＲＳを用い検出を行うことでＵＥの性能を確保することができるように、好ましくは、動作モードパラメータ以外に、セルアクセスの初期化に用いられる他のキーパラメータは同じ物理セル識別子、ＣＲＳシーケンスパラメータなどをさらに含んでもよい。異なる動作モードに応じて、ＮＢ−ＩｏＴ通信システムにおいてセルアクセスの初期化に用いられるキーパラメータは異なる。
【００２０】
例えば、インバンド動作モードの場合、ＮＢ−ＩｏＴシステムの物理セル識別子はＬＴＥの物理セル識別子と同じであるかまたは異なる可能性がある。同じ物理セル識別子を介して現在ＮＢ−ＩｏＴシステムの物理セル識別子とＬＴＥの物理セル識別子とが同じであるか否かをＵＥに通知することができる。
【００２１】
一方、ガードバンド動作モードおよびスタンドアローン動作モードの場合、ＬＴＥ通信システムにおいて送信されたＣＲＳはＵＥの復調に対し干渉とならないため、ＵＥはＣＲＳに関連するパラメータの情報を得る必要がない。すなわち、同じ物理セル識別子、ＣＲＳポートパラメータ、ＣＲＳシーケンスパラメータなどが必要ではない。
【００２２】
なお、決定された動作モードがインバンド動作モードであり、かつＮＢ−ＩｏＴシステムの物理セル識別子とＬＴＥの物理セル識別子とが異なる場合、ＮＢ−ＩｏＴシステムにおけるＵＥがスピードマッチングなどの動作を行うように、基地局はさらにＣＲＳポートパラメータを介してＣＲＳ送信用のアンテナポートの数をＵＥに通知しなければならない。一方、決定された動作モードがインバンド動作モードであり、かつＮＢ−ＩｏＴシステムの物理セル識別子とＬＴＥの物理セル識別子とが同じである場合、ＮＢ−ＩｏＴシステムはＣＲＳのポート数がＮＢ−ＲＳのポート数と同じであると暗然に認め、ＵＥは他のパラメータ（例えば、ＮＢ−ＩｏＴシステムの参照信号（ＮＢ−ＲＳ））に基づいてＣＲＳポートを得ることができ、したがってＵＥへＣＲＳポートパラメータの情報を送信する必要がない。また、ガードバンド動作モードおよびスタンドアローン動作モードの場合にも、上述したように、ＮＢ−ＩｏＴシステムの通信周波数帯域とＬＴＥシステムの通信周波数帯域とが重ならないため、ＣＲＳポートパラメータが必要ではない。
【００２３】
また例えば、インバンド動作モードの場合およびガードバンド動作モードの場合、基地局はチャネルラスタパラメータによりチャネルラスタのオフセット周波数をＵＥに通知しなければならない。具体的には、チャネルラスタパラメータはＮＢ−ＩｏＴシステムにおいて現在占有しているリソースブロックの中心周波数ポイントから距離が一番近いｎ＊１００ＫＨｚ周波数ポイントへのオフセットを示し、ここでｎは自然数であり、スタンドアローン動作モードにおいて、ＵＥが無線アクセスを行う際には、チャネルラスタパラメータを用いる必要がない。
【００２４】
なお、決定された動作モードがインバンド動作モードであり、かつＮＢ−ＩｏＴシステムの物理セル識別子とＬＴＥの物理セル識別子とが同じである場合、ＮＢ−ＩｏＴシステムのＵＥはＬＴＥシステムのＣＲＳを用い復調を行わなければならないため、基地局は対応するＣＲＳシーケンス情報を示す必要がある。すなわち、ＵＥがＣＲＳシーケンスパラメータに基づいて現在ＬＴＥシステムにおけるＣＲＳのシーケンス値を決定するように、基地局はＵＥにＣＲＳシーケンスパラメータを通知しなければならない。本発明の1つの例示によれば、ＣＲＳシーケンスパラメータはＬＴＥシステムの物理リソースブロック（ＰＲＢ）のインデックスおよび通信帯域幅（ＢＷ）を示す物理リソースブロックインデックスおよび帯域幅パラメータである。表１は物理リソースブロックインデックスおよび帯域幅パラメータの候補値を概略的に示す。
【表１】
2017159695.tif 000003
【００２５】
代替的に、ＵＥはＭＩＢ送信用のリソースブロックと前記基地局の通信周波数帯域の中心周波数とのオフセットに基づいて、現在ＬＴＥシステムにおけるＣＲＳのシーケンス値を決定してもよい。したがって、本発明のもう１つの例示によれば、ＣＲＳシーケンスパラメータはＭＩＢ送信用のリソースブロックと前記基地局の通信周波数帯域の中心周波数とのオフセットを示す周波数オフセットパラメータであってもよい。
【００２６】
表２−１および表２−２は周波数オフセットパラメータと物理リソースブロックイデックスおよび帯域幅パラメータとの対応関係を概略的に示す。表２−１および表２−２に示すように、異なるシステム帯域幅（ＢＷ）および異なるＰＲＢインデックスは同じ周波数オフセットパラメータに対応され、さらに同じＣＲＳのシーケンス値に対応される可能性がある。したがって、物理リソースブロックインデックスおよび帯域幅パラメータの代わりに周波数オフセットパラメータを用いることによって、ＣＲＳのシーケンス値の情報をＵＥに通知しつつ、さらにシステムのシグナリングオーバヘッドを低減することができる。
【表２−１】
2017159695.tif 000004
【表２−２】
2017159695.tif 000005
【００２７】
なお、表２−１および表２−２に示すように、ＣＲＳシーケンスパラメータ（すなわち、周波数オフセットパラメータまたはＰＲＢインデックスおよび帯域幅パラメータ）とチャネルラスタパラメータとの間に対応関係が存在する。言い換えれば、ＵＥはＣＲＳシーケンスパラメータに基づいてチャネルラスタパラメータを導き出すことができる。したがって、基地局はＣＲＳシーケンスパラメータの情報をＵＥへ送信した場合には、チャネルラスタパラメータの情報をＵＥへ送信しなくてもよく、すなわち、チャネルラスタパラメータは必要ではない。
【００２８】
したがって、ステップＳ１０１においては、決定された動作モードがインバンド動作モードである場合、まず同じ物理セル識別子の候補値の中から前記同じ物理セル識別子の現在値を選択すると決定し、次いで決定された同じ物理セル識別子の現在値に基づいて、ＣＲＳポートパラメータが必要であるかそれともＣＲＳシーケンスパラメータが必要であるかを決定し、さらにＣＲＳポートパラメータの候補値の中からＣＲＳポートパラメータの現在値を選択するか、またはＣＲＳシーケンスパラメータの候補値の中からＣＲＳシーケンスパラメータの現在値を選択する。なお、動作モードがインバンド動作モードであり、かつ同じ物理セル識別子の候補値の中から同じ物理セル識別子の現在値を選択した後に、さらに決定された同じ物理セル識別子の現在値に基づいて、チャネルラスタパラメータが必要であるか否かを決定する。一方、決定された動作モードがインバンド動作モードである場合、チャネルラスタパラメータの候補値の中からチャネルラスタパラメータの現在値を選択してもよい。また、決定された動作モードがスタンドアローン動作モードである場合、チャネルラスタパラメータが必要ではないと決定してもよい。さらに、決定された動作モードがガードバンド動作モードまたはスタンドアローン動作モードである場合、さらに同じ物理セル識別子、ＣＲＳポートパラメータ、およびＣＲＳシーケンスパラメータが必要ではないと決定してもよい。
【００２９】
図１に戻り、ステップＳ１０２において、決定された各パラメータの現在情報に対してジョイント符号化を行う。本発明の1つの例示によれば、ステップＳ１０２においては、コードワード集合から、決定された各パラメータの現在情報に対応するコードワードを選択する。具体的には、コードワード集合における各コードワードそれぞれは、前記複数のパラメータの各パラメータの候補状態の１種類の組み合わせを示す。なお、各パラメータそれぞれの候補状態は、該パラメータの候補値、または特定の場合に該パラメータが必要ではないことを示す。次いでステップＳ１０３において、ジョイント符号化の結果に基づいてＭＩＢを生成する。
【００３０】
例えば、上述したように、複数のパラメータは動作モードバラメータ、ＣＲＳポートパラメータ、チャネルラスタパラメータ、同じ物理セル識別子、ＣＲＳシーケンスパラメータなどを含む。動作モードパラメータはインバンド動作モードを示す候補値「Ｉｎ  ｂａｎｄ」、ガードバンド動作モードを示す候補値「Ｇｕａｒｄ  ｂａｎｄ」およびスタンドアローン動作モードを示す候補値「Ｓｔａｎｄ  ａｌｏｎｅ」を有する。同じ物理セル識別子は同じ物理セルを示す候補値「Ｔ」および異なる物理セルを示す候補値「Ｆ」を有する。チャネルラスタパラメータは周波数オフセットを示す候補値「±２．５」（ＫＨｚ）および「±７．５」（ＫＨｚ）を有する。ＣＲＳポートパラメータは１つのＣＲＳポートアンテナポートを示す候補値「１  Ｐｏｒｔ」、２つのＣＲＳポートアンテナポートを示す候補値「２  Ｐｏｒｔ」、４つのＣＲＳポートアンテナポートを示す候補値「４  Ｐｏｒｔ」を有する。表３はコードワード集合における一部のコードワードおよび各コードワードそれぞれに対応する各パラメータの候補状態の組み合わせを概略的に示す。
【００３１】
【表３】
2017159695.tif 000006
表３に示すように、コードワード集合における各コードワードそれぞれは複数のパラメータの各パラメータの候補状態の１種類の組み合わせを示し、ここで「×」は該組み合わせにおいて必要ではないパラメータを示す。したがって、ステップＳ１０２においては、コードワード集合から、決定された各パラメータの現在情報に対応するコードワードを選択することによって、決定された各パラメータの現在情報に対してジョイント符号化を行い、したがって１つのコードワードを用い複数のパラメータの現在情報を示すことができる。
【００３２】
なお、ステップＳ１０１を参照しながら説明した各パラメータ間の関係のように、複数のパラメータの候補状態に対して配列を行うことでそれに対応するコードワードを生成する場合、まず動作モードパラメータの候補状態を決定し、次いで動作モードパラメータの候補状態に基づいて複数のパラメータのうちの他のパラメータの候補状態を決定してもよい。言い換えれば、コードワード集合におけるコードワードは、動作モードパラメータの候補状態に基づいて複数のパラメータのうちの他のパラメータの候補状態を決定するような順序で形成された組み合わせを示す。
【００３３】
なお、コードワード集合におけるコードワードはさらに動作モードパラメータの候補状態がインバンド動作モードである場合、動作モードパラメータの候補状態に基づいて同じ物理セル識別子の候補状態を決定し、次いで同じ物理セル識別子の候補状態に基づいてセル参照信号ポートパラメータおよびＣＲＳシーケンスパラメータを決定するような順序で形成された組み合わせを示す。
【００３４】
本発明の上記一実施形態に係るマスター情報ブロック生成方法において、ＭＩＢを介して移動局に通知される複数のパラメータのパラメータ値に対してジョイント符号化を行い、したがって無線通信システムにおいてマスター情報ブロックの負荷を効果的に低減しつつ移動局の性能低下を回避することができる。なお、本発明の上記一実施形態のマスター情報ブロック生成方法によれば、ＮＢ−ＩｏＴ通信システムにおいて用いられる異なる動作モードに対して同一フォーマットを備えたＭＩＢを生成することができる。
【００３５】
以下、図３を参照しながら本発明の一実施形態に係る移動局によって実行されるマスター情報ブロック処理方法について説明する。図３は移動局によって実行されるマスター情報ブロック処理方法３００を示すフローチャートである。図３に示すように、ステップＳ３０１において、基地局から送信されたＭＩＢを受信して、１つのコードワードを得る。ＭＩＢに基づいて得られたコードワードはＵＥに予め格納されたコードワード集合に含まれていてよい。具体的には、ＵＥに予め格納されたコードワード集合における各コードワードそれぞれは複数のパラメータの各パラメータの候補状態の１種類の組み合わせを示す。なお、各パラメータそれぞれの候補状態は該パラメータの候補値、または特定の場合に該パラメータが必要ではないことを示す。以上、表３を参照しながらコードワード集合におけるコードワードについて詳細に説明を行ったため、ここでは重複な説明を省略する。
【００３６】
次いで、ステップＳ３０２において、得られたコードワードに基づいて複数のパラメータの各パラメータの現在情報を決定する。本発明の1つの例示によれば、ステップＳ３０２においては、得られたコードワードに対応する複数のパラメータの候補状態の組み合わせを決定し、次いで決定された組み合わせにおけるパラメータの候補状態を該パラメータの現在情報とする。
【００３７】
例えば、複数のパラメータの中には動作モードパラメータを含め、かつ動作モードパラメータはインバンド動作モードを示す候補値「Ｉｎ  ｂａｎｄ」、ガードバンド動作モードを示す候補値「Ｇｕａｒｄ  ｂａｎｄ」およびスタンドアローン動作モードを示す候補値「Ｓｔａｎｄ  ａｌｏｎｅ」を有する。ステップＳ３０２においては、得られたコードワードに対応する複数のパラメータの候補状態の組み合わせにおける動作モードパラメータの候補状態を決定し、さらに決定された組み合わせにおけるパラメータの候補状態を該パラメータの現在情報とする。
【００３８】
なお、ステップＳ３０２においてはさらに複数のパラメータにおける一部のパラメータの現在情報に基づいて他のパラメータの現在情報を導き出してもよい。例えば、複数のパラメータのうちのＣＲＳシーケンスパラメータの現在情報に基づいてチャネルラスタパラメータの現在情報を導き出してもよい。以上、ステップＳ１０２および表２−１、表２−２を参照しながらそれについて詳細に説明を行ったため、ここでは重複な説明を省略する。
【００３９】
本発明の上記一実施形態に係るマスター情報ブロック処理方法において、受信されたＭＩＢのうちのジョイント符号化されたコードワードに対して復号化を行うことで複数のパラメータのパラメータ値を得、したがって無線通信システムにおいてマスター情報ブロックの負荷を効果的に低減しつつ移動局の性能低下を回避することができる。なお、本発明の上記一実施形態のマスター情報ブロック処理方法によれば、ＮＢ−ＩｏＴ通信システムの異なる動作モードにおいても、基地局から送信された同一フォーマットを備えたＭＩＢを受信することができる。
【００４０】
以下、図４を参照しながら本発明の一実施形態に係る基地局について説明する。図４は本発明の一実施形態に係る基地局４００を示すブロック図である。図４に示すように、基地局４００は決定部４１０、符号化部４２０および生成部４３０を含む。この３つの構成以外にも、基地局４００はさらに他の構成要素（例えば、送信部、受信部）を含んでもよく、ただし、これらの構成要素は本発明の一実施形態の内容に関わらないため、ここではその図示および説明を省略する。なお、本発明の一実施形態に係る基地局４００が実行する下記の動作の具体的な詳細は、以上の文面において図１〜２を参照し説明した詳細と同じであり、そのためここでは重複を避けるために同じ詳細についての重複な説明を省略する。
【００４１】
図４に示すように、決定部４１０は複数のパラメータの各パラメータの現在情報を決定する。上述したように、ＵＥが無線アクセスを行うことができるように、基地局はセルアクセスの初期化に用いられるキーパラメータの情報をＭＩＢの中に含ませ、決定部４１０はこれらのキーパラメータの現在情報を決定することができる。本発明の１つの例示によれば、各パラメータの現在情報は該パラメータの現在値または現在該パラメータが必要ではないことを示す。
【００４２】
例えば、ＮＢ−ＩｏＴ通信システムにおいて、用いられる通信周波数帯域とＬＴＥ通信システムに用いられる通信周波数帯域との間の位置関係に応じて、ＮＢ−ＩｏＴ通信システムにおける基地局は多様な動作モードを有し、かつ異なる動作モードに応じてＮＢ−ＩｏＴ通信システムにおけるＵＥがセルへアクセスする際に必要な情報は異なる。したがって、前記複数のパラメータは基地局の現在動作モードを示す動作モードパラメータ、および動作モードパラメータ以外に、セルアクセスの初期化に用いられる他のキーパラメータを含む。決定部４１０は、まず基地局の狭帯域通信時の現在動作モードを決定し、次いで動作モードパラメータの候補値の中から決定された現在動作モードに対応する候補値を動作モードパラメータの現在値として選択する。一方、決定部４１０は、決定された動作モードに基づいて、現在複数のパラメータのうちの他のパラメータが必要であるか否かを決定し、複数のパラメータのうちの他のパラメータが必要である場合、必要な他のパラメータの候補値の中から該他のパラメータの現在値を選択する。
【００４３】
例えば、動作モードパラメータはインバンド動作モードを示す候補値、ガードバンド動作モードを示す候補値およびスタンドアローン動作モードを示す候補値を有する。基地局がインバンド動作モードで狭帯域通信を行う場合、決定部４１０は動作モードパラメータの候補値の中からインバンド動作モードに対応する候補値を動作モードパラメータの現在値として選択する。一方、決定部４１０はインバンド動作モードの場合に必要な、動作モードパラメータ以外の他のパラメータを決定し、必要な他のパラメータの現在値を決定する。
【００４４】
動作モードパラメータのほか、セルアクセスの初期化に用いられる他のキーパラメータはセル参照信号（ＣＲＳ）ポートパラメータ、チャネルラスタパラメータなどをさらに含む。なお、ＵＥがＣＲＳを用い検出を行うことでＵＥの性能を確保することができるように、好ましくは、動作モードパラメータ以外に、セルアクセスの初期化に用いられる他のキーパラメータは同じ物理セル識別子、ＣＲＳシーケンスパラメータなどをさらに含んでもよい。異なる動作モードに応じて、ＮＢ−ＩｏＴ通信システムにおいてセルアクセスの初期化に用いられるキーパラメータは異なる。
【００４５】
例えば、インバンド動作モードの場合、ＮＢ−ＩｏＴシステムの物理セル識別子はＬＴＥの物理セル識別子と同じであるかまたは異なる可能性がある。同じ物理セル識別子を介して現在ＮＢ−ＩｏＴシステムの物理セル識別子とＬＴＥの物理セル識別子とが同じであるか否かをＵＥに通知することができる。
【００４６】
一方、ガードバンド動作モードおよびスタンドアローン動作モードの場合、ＬＴＥ通信システムにおいて送信されるＣＲＳはＵＥの復調に対し干渉とならないため、ＵＥはＣＲＳに関連するパラメータの情報を得る必要がない。すなわち、同じ物理セル識別子、ＣＲＳポートパラメータ、ＣＲＳシーケンスパラメータなどが必要ではない。
【００４７】
なお、決定された動作モードがインバンド動作モードであり、かつＮＢ−ＩｏＴシステムの物理セル識別子とＬＴＥの物理セル識別子とが異なる場合、ＮＢ−ＩｏＴシステムにおけるＵＥがスピードマッチングなどの動作を行うように、基地局はさらにＣＲＳポートパラメータを介してＣＲＳ送信用のアンテナポートの数をＵＥに通知しなければならない。一方、決定された動作モードがインバンド動作モードであり、かつＮＢ−ＩｏＴシステムの物理セル識別子とＬＴＥの物理セル識別子とが同じである場合、ＮＢ−ＩｏＴシステムはＣＲＳのポート数がＮＢ−ＲＳのポート数と同じであると暗然に認め、ＵＥは他のパラメータ（例えば、ＮＢ−ＩｏＴシステムの参照信号（ＮＢ−ＲＳ））に基づいてＣＲＳポートを得ることができ、したがってＵＥへＣＲＳポートパラメータの情報を送信する必要がない。また、ガードバンド動作モードおよびスタンドアローン動作モードの場合にも、上述したように、ＮＢ−ＩｏＴシステムの通信周波数帯域とＬＴＥシステムの通信周波数帯域とが重ならないため、ＣＲＳポートパラメータが必要ではない。
【００４８】
また例えば、インバンド動作モードの場合およびガードバンド動作モードの場合、基地局はチャネルラスタパラメータを介してチャネルラスタのオフセット周波数をＵＥに通知しなければならない。具体的には、チャネルラスタパラメータはＮＢ−ＩｏＴシステムにおいて現在占有しているリソースブロックの中心周波数ポイントから距離が一番近いｎ＊１００ＫＨｚ周波数ポイントへのオフセットを示し、ここでｎは自然数であり、スタンドアローン動作モードにおいて、ＵＥが無線アクセスを行う際には、チャネルラスタパラメータを用いる必要がない。
【００４９】
なお、決定された動作モードがインバンド動作モードであり、かつＮＢ−ＩｏＴシステムの物理セル識別子とＬＴＥの物理セル識別子とが同じである場合、ＮＢ−ＩｏＴシステムのＵＥはＬＴＥシステムのＣＲＳを用い復調を行わなければならないため、基地局は対応するＣＲＳシーケンス情報を示す必要がある。すなわち、ＵＥがＣＲＳシーケンスパラメータに基づいて現在ＬＴＥシステムにおけるＣＲＳのシーケンス値を決定するように、基地局はＵＥにＣＲＳシーケンスパラメータを通知しなければならない。本発明の1つの例示によれば、ＣＲＳシーケンスパラメータはＬＴＥシステムの物理リソースブロック（ＰＲＢ）のインデックスおよび通信帯域幅（ＢＷ）を示す物理リソースブロックインデックスおよび帯域幅パラメータである。代替的に、ＵＥはＭＩＢ送信用のリソースブロックと前記基地局の通信周波数帯域の中心周波数とのオフセットに基づいて、現在ＬＴＥシステムにおけるＣＲＳのシーケンス値を決定してもよい。したがって、本発明のもう１つの例示によれば、ＣＲＳシーケンスパラメータはＭＩＢ送信用のリソースブロックと前記基地局の通信周波数帯域の中心周波数とのオフセットを示す周波数オフセットパラメータであってもよい。以上、表１、表２−１および表２−２を参照しながら周波数オフセットパラメータ、物理リソースブロックインデックスおよび帯域幅パラメータを概略的に示したため、ここでは詳細な説明を省略する。
【００５０】
なお、ＣＲＳシーケンスパラメータ（すなわち、周波数オフセットパラメータまたはＰＲＢインデックスおよび帯域幅パラメータ）とチャネルラスタパラメータとの間に対応関係が存在する。言い換えれば、ＵＥはＣＲＳシーケンスパラメータに基づいてチャネルラスタパラメータを導き出すことができる。したがって、基地局はＣＲＳシーケンスパラメータの情報をＵＥへ送信した場合には、チャネルラスタパラメータの情報をＵＥへ送信しなくてもよい。
【００５１】
したがって、決定された動作モードがインバンド動作モードである場合、決定部４１０はまず同じ物理セル識別子の候補値の中から前記同じ物理セル識別子の現在値を選択すると決定し、次いで決定された同じ物理セル識別子の現在値に基づいて、ＣＲＳポートパラメータが必要であるかそれともＣＲＳシーケンスパラメータが必要であるかを決定し、さらにＣＲＳポートパラメータの候補値の中からＣＲＳポートパラメータの現在値を選択するか、またはＣＲＳシーケンスパラメータの候補値の中からＣＲＳシーケンスパラメータの現在値を選択する。なお、動作モードがインバンド動作モードであり、かつ同じ物理セル識別子の候補値の中から同じ物理セル識別子の現在値を選択した後に、決定部４１０はさらに決定された同じ物理セル識別子の現在値に基づいて、チャネルラスタパラメータが必要であるか否かを決定する。一方、決定された動作モードがインバンド動作モードである場合、決定部４１０はチャネルラスタパラメータの候補値の中からチャネルラスタパラメータの現在値を選択してもよい。また、決定された動作モードがスタンドアローン動作モードである場合、決定部４１０はチャネルラスタパラメータが必要ではないと決定してもよい。さらに、決定された動作モードがガードバンド動作モードまたはスタンドアローン動作モードである場合、決定部４１０はさらに同じ物理セル識別子、ＣＲＳポートパラメータ、およびＣＲＳシーケンスパラメータが必要ではないと決定してもよい。
【００５２】
符号化部４２０は決定された各パラメータの現在情報に対してジョイント符号化を行う。本発明の1つの例示によれば、符号化部４２０は、コードワード集合の中から、決定された各パラメータの現在情報に対応するコードワードを選択する。具体的には、コードワード集合における各コードワードそれぞれは、前記複数のパラメータの各パラメータの候補状態の１種類の組み合わせを示す。なお、各パラメータそれぞれの候補状態は、該パラメータの候補値、または特定の場合に該パラメータが必要ではないことを示す。生成部４３０は、ジョイント符号化の結果に基づいてＭＩＢを生成する。
【００５３】
例えば、上述したように、複数のパラメータは動作モードバラメータ、ＣＲＳポートパラメータ、チャネルラスタパラメータ、同じ物理セル識別子、ＣＲＳシーケンスパラメータなどを含む。動作モードパラメータはインバンド動作モードを示す候補値「Ｉｎ  ｂａｎｄ」、ガードバンド動作モードを示す候補値「Ｇｕａｒｄ  ｂａｎｄ」およびスタンドアローン動作モードを示す候補値「Ｓｔａｎｄ  ａｌｏｎｅ」を有する。同じ物理セル識別子は同じ物理セルを示す候補値「Ｔ」および異なる物理セルを示す候補値「Ｆ」を有する。チャネルラスタパラメータは周波数オフセットを示す候補値「±２．５」（ＫＨｚ）および「±７．５」（ＫＨｚ）を有する。ＣＲＳポートパラメータは１つのＣＲＳポートアンテナポートを示す候補値「１  Ｐｏｒｔ」、２つのＣＲＳポートアンテナポートを示す候補値「２  Ｐｏｒｔ」、４つのＣＲＳポートアンテナポートを示す候補値「４  Ｐｏｒｔ」を有する。表３はコードワード集合における一部のコードワードおよび各コードワードそれぞれに対応する各パラメータの候補状態の組み合わせを概略的に示す。符号化部４２０は、コードワード集合から、決定された各パラメータの現在情報に対応するコードワードを選択することによって、決定された各パラメータの現在情報に対してジョイント符号化を行い、したがって１つのコードワードを用い複数のパラメータの現在情報を示すことができる。
【００５４】
さらに、ＣＲＳのポート数は、ＣＲＳのポート数を直接示す代わりに、ＣＲＳのポート数及びＮＢ−ＲＳのポート数の関係を示すことによって導出されてもよい。例えば、２つの状態が示されてもよい。ＣＲＳのポート数がＮＢ−ＲＳのポート数と同一であることを示す状態である場合、ＣＲＳのポート数は、ＮＢ−ＲＳのポート数から導出されてもよい。ＣＲＳのポート数がＮＢ−ＲＳのポート数と異なることを示す他の状態である場合、ＣＲＳのポート数は、所定のデフォルト値であってもよい。
【００５５】
なお、複数のパラメータの候補状態に対して配列を行うことでそれに対応するコードワードを生成する場合、まず動作モードパラメータの候補状態を決定し、次いで動作モードパラメータの候補状態に基づいて複数のパラメータのうちの他のパラメータの候補状態を決定する。言い換えれば、コードワード集合におけるコードワードは、動作モードパラメータの候補状態に基づいて複数のパラメータのうちの他のパラメータの候補状態を決定するような順序で形成された組み合わせを示す。
【００５６】
なお、コードワード集合におけるコードワードはさらに動作モードパラメータの候補状態がインバンド動作モードである場合、動作モードパラメータの候補状態に基づいて同じ物理セル識別子の候補状態を決定し、さらに同じ物理セル識別子の候補状態に基づいてセル参照信号のポートパラメータおよびＣＲＳシーケンスパラメータを決定するような順序で形成された組み合わせを示す。
【００５７】
本発明の上記一実施形態に係る基地局においては、ＭＩＢを介して移動局に通知される複数のパラメータのパラメータ値に対してジョイント符号化を行うため、無線通信システムにおいてマスター情報ブロックの負荷を効果的に低減しつつ移動局の性能低下を回避することができる。なお、本発明の上記一実施形態の基地局によれば、ＮＢ−ＩｏＴ通信システムにおいて用いられる異なる動作モードに対して同一フォーマットを備えたＭＩＢを生成することができる。
【００５８】
以下、図５を参照しながら本発明の1つの一実施形態に係る移動局について説明する。図５は本発明の1つの一実施形態に係る移動局５００を示すブロック図である。図５に示すように、移動局５００は受信部５１０および決定部５２０を含む。この２つの構成以外にも、移動局５００はさらに他の構成要素を含んでもよく、ただし、これらの構成要素は本発明の一実施形態の内容に関わらないため、ここではその図示および説明を省略する。なお、本発明の一実施形態に係る移動局５００が実行する下記の動作の具体的な詳細は、以上の文面において図３を参照し説明した詳細と同じであり、そのためここでは重複を避けるために同じ詳細についての重複な説明を省略する。
【００５９】
図５に示すように、受信部５１０は基地局から送信されたＭＩＢを受信して、１つのコードワードを得る。ＭＩＢに基づいて得られたコードワードはＵＥに予め格納されたコードワード集合に含まれてもよい。具体的には、ＵＥに予め格納されたコードワード集合における各コードワードそれぞれは複数のパラメータの各パラメータの候補状態の１種類の組み合わせを示す。なお、各パラメータそれぞれの候補状態は該パラメータの候補値、または特定の場合に該パラメータが必要ではないことを示す。以上、表３を参照しながらコードワード集合におけるコードワードについて詳細に説明を行ったため、ここでは重複な説明を省略する。
【００６０】
次いで、決定部５２０は、得られたコードワードに基づいて複数のパラメータの各パラメータの現在情報を決定する。本発明の1つの例示によれば、決定部５２０は、得られたコードワードに対応する複数のパラメータの候補状態の組み合わせを決定し、次いで決定された組み合わせにおけるパラメータの候補状態を該パラメータの現在情報とする。
【００６１】
例えば、複数のパラメータの中には動作モードパラメータを含め、かつ動作モードパラメータはインバンド動作モードを示す候補値「Ｉｎ  ｂａｎｄ」、ガードバンド動作モードを示す候補値「Ｇｕａｒｄ  ｂａｎｄ」およびスタンドアローン動作モードを示す候補値「Ｓｔａｎｄ  ａｌｏｎｅ」を有する。決定部５２０は、得られたコードワードに対応する複数のパラメータの候補状態の組み合わせにおける動作モードパラメータの候補状態を決定し、さらに決定された組み合わせにおけるパラメータの候補状態を該パラメータの現在情報とする。
【００６２】
なお、決定部５２０はさらに複数のパラメータにおける一部のパラメータの現在情報に基づいて他のパラメータの現在情報を導き出してもよい。例えば、複数のパラメータのうちのＣＲＳシーケンスパラメータの現在情報に基づいてチャネルラスタパラメータの現在情報を導き出してもよい。以上、ステップＳ１０２および表２−１、表２−２を参照しながらそれについて詳細に説明を行ったため、ここでは重複な説明を省略する。
【００６３】
本発明の上記一実施形態に係る移動局において、受信されたＭＩＢのうちのジョイント符号化されたコードワードに対して復号化を行うことで複数のパラメータのパラメータ値を得、したがって無線通信システムにおいてマスター情報ブロックの負荷を効果的に低減しつつ移動局の性能低下を回避することができる。なお、本発明の上記一実施形態の移動局によれば、ＮＢ−ＩｏＴ通信システムの異なる動作モードにおいても、基地局から送信された同一フォーマットを備えたＭＩＢを受信することができる。
【００６４】
上記基地局４００および移動局５００の動作はハードウェアにて実施されてもよく、プロセッサによって実行されるソフトウェアモジュールにて実施されてもよく、さらに両者の組み合わせにて実施されてもよい。ソフトウェアモジュールはいかなる形式の記憶媒体、例えば、ＲＡＭ（ランダムアクセスメモリ）、フラッシュメモリ、ＲＯＭ（読み取り専用メモリ）、ＥＰＲＯＭ（消去可能なプログラマブルＲＯＭ）、ＥＥＰＡＲＯＭ（電気的消去可能なプログラマブルＲＯＭ）、レジスタ、ハードディスク、取り外し可能ディスクおよびＣＤ−ＲＯＭに格納されてもよい。
【００６５】
このような記憶媒体をプロセッサに接続し、プロセッサは該記憶媒体に情報を書き込み、または該記憶媒体から情報を読み取れるようにする。このような記憶媒体はさらにプロセッサにおいて積み重ねられてもよい。このような記憶媒体およびプロセッサはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）に配置されてもよい。このようなＡＳＩＣは基地局４００および移動局５００に配置されてもよい。独立したユニットとして、このような記憶媒体およびプロセッサは基地局４００および移動局５００に配置されてもよい。
【００６６】
例えば、プロセッサ（ＣＰＵ）を通じて基地局４００における決定部、符号化部および生成部を実施してもよい。移動局５００における受信部はアンテナアレイなどの受信構成要素を備えてもよい。なお、基地局４００のように、プロセッサ（ＣＰＵ）を通じて移動局５００における決定部を実施してもよい。
【００６７】
このように、上記一実施形態により本発明について詳細に説明した。しかしながら、当業者にとって理解すべきことは、本発明はここに説明した一実施形態に限定されるものではない。本発明は特許請求の範囲により限定される本発明の範囲を逸脱しない状況の下で修正、変更された態様で実施されてもよい。したがって、明細書における説明は例示を解釈することのみを意図しており、本発明にいかなる限定的な意味も加えない。
【００６８】
本出願は、２０１６年３月１５日出願の中国特許出願第２０１６１０１４７０７１．３号に基づく。この内容は、全てここに含めておく。
【図１】
2017159695.tif 000007
【図２ａ】
2017159695.tif 000008
【図２ｂ】
2017159695.tif 000009
【図２ｃ】
2017159695.tif 000010
【図３】
2017159695.tif 000011
【図４】
2017159695.tif 000012
【図５】
2017159695.tif 000013
【国際調査報告】
2017159695.tif 000014
2017159695.tif 000015
2017159695.tif 000016
2017159695.tif 000017